(57)【要約】【課題】不意な振動や落下によって発生する、バッテリカバーの脱落を防止する電子機器を提供する。【解決手段】携帯電話機１は、凹部と持ったコネクタ４に取り付けられるコネクタキャップ５と、スライド移動させることで携帯電話機１への取り付けおよび取り外しを行うバッテリカバー３とを備える。バッテリカバー３を携帯電話機１にスライド移動させて取り付けたときに、バッテリカバー３に設けた切り欠き８とコネクタキャップ５の飛び出し５１とが係合するように切り欠き８を設ける。バッテリカバー３がスライド移動されるときに飛び出し５１と切り欠き８とが引っかかり、不意なスライド移動に伴うバッテリカバーの脱落を防止する。【選択図】図１
2010187234.tif 000002
【特許請求の範囲】
【請求項１】
筐体と、
前記筐体に設けられた凹部と、
前記筐体に取り付けられるバッテリカバーと、
前記バッテリカバーに設けられ、前記バッテリカバーを前記筐体と重ね合わせた状態で所定の方向へ摺動することにより前記凹部と係合する凸部と、
前記筐体に設けられたコネクタと、
前記コネクタに装着されるコネクタキャップとを備え、
前記コネクタキャップの装着時に、前記コネクタキャップは前記筐体から前記所定の方向に対して垂直な方向への飛び出し部を持つように設けられ、
前記バッテリカバーに、前記コネクタキャップの飛び出し部と前記所定の方向に係合する切り欠きを設けたことを特徴とする電子機器。
【請求項２】
前記コネクタキャップは、
弾性を持つ素材で構成したことを特徴とする請求項１に記載の電子機器。
【発明の詳細な説明】
【技術分野】
【０００１】
本発明はバッテリ、バッテリカバー及びコネクタを備えた電子機器、詳しくはバッテリカバーの不用意な脱落を防止する電子機器に関する。
【背景技術】
【０００２】
近年、電力を供給するバッテリの小型化・大容量化に伴って、バッテリから供給される電力によって駆動する携帯可能な電子機器が実用化している。こうした電子機器の多くは、その側面や底面などにコネクタが設けられている。コネクタに対応するケーブルをコネクタに差し込むことで、ケーブルを通じて外部電源や外部機器との接続を行うことができる。この様なコネクタは通常、電子機器本体に凹部に設け、更に凹部内に金属端子を設けることで構成される。凹部に細かなごみや異物が混入する事態を避けるために、電子機器本体にはコネクタに装着されるコネクタキャップが設けられており、使用者は電子機器が外部電源や外部機器と接続を行う際にコネクタキャップを外し、コネクタを外部に露出させて接続を行う。
【０００３】
ところで、こうした電子機器においては、通常バッテリは電子機器に設けられたバッテリ装着部に着脱可能に取り付けられている。更に、不意な電子機器の振動や落下によってもバッテリが電子機器本体から脱落することのないように、バッテリを覆うバッテリカバーが電子機器に取り付けられている。一般的にバッテリカバーと電子機器には、凸部と凹部がそれぞれ設けられ、これらが嵌合する事でバッテリカバーが電子機器に取り付けられる。バッテリカバーと電子機器とが当接する部分をエラストマなどの衝撃緩衝部材で構成し、電子機器本体が落下した場合のケース破損を防ぐ技術が公開されている（例えば、特許文献１を参照）。
【先行技術文献】
【特許文献】
【０００４】
【特許文献１】特開平０８−２５０８６号公報
【発明の概要】
【発明が解決しようとする課題】
【０００５】
先に述べたバッテリカバーと電子機器は、一般に凹部に凸部を差し込み、更にバッテリカバーをスライドさせることで、凹部と凸部にそれぞれ設けられた係止部が嵌合して取り付けが行われる。バッテリカバーのスライドという単純な動作によってバッテリカバーが取り付けられているために、不意な電子機器の振動や落下によって、バッテリカバーが取り付けられるのとは反対の方向へスライドして係止部の嵌合が外れ、バッテリカバーが脱落してしまう事態が生じていた。バッテリカバーが外れた状態ではバッテリが外部に露出しているために、電子機器の不意な振動や落下によってバッテリが外れ、電子機器の電源が遮断されてしまう虞があり、利便性を損なっていた。
【０００６】
本発明は上記問題点を解決するためになされたもので、コネクタキャップとバッテリカバーの係合部を設けることで、不意な電子機器の振動や落下によるバッテリカバーの脱落を防止することが可能な電子機器を提供する。
【課題を解決するための手段】
【０００７】
前記目的を達成するために、本発明の電子機器においては、筐体と、前記筐体に設けられた凹部と、前記筐体に取り付けられるバッテリカバーと、前記バッテリカバーに設けられ、前記バッテリカバーを前記筐体と重ね合わせた状態で所定の方向へ摺動することにより前記凹部と係合する凸部と、前記筐体に設けられたコネクタと、前記コネクタに装着されるコネクタキャップとを備え、前記コネクタキャップの装着時に、前記コネクタキャップは前記筐体から前記所定の方向に対して垂直な方向への飛び出し部を持つように設けられ、  前記バッテリカバーに、前記コネクタキャップの飛び出し部と前記所定の方向に係合する切り欠きを設けたことを特徴とする。
【発明の効果】
【０００８】
本発明によれば、スライドして取り付けられるバッテリカバーと係合する位置に設けたコネクタキャップによって、不意な電子機器の振動や落下によるバッテリカバーの脱落を防止することが可能な電子機器が提供できる。
【図面の簡単な説明】
【０００９】
【図１】本発明の実施形態に係る電子機器の一例である携帯電話機を、バッテリが取り付けられる面から見た斜視図。
【図２】本発明の実施形態に係る実施形態の一例である携帯電話機の、コネクタにコネクタキャップが取り付けられる断面を、コネクタとコネクタキャップとを取り外した状態で携帯電話機の長辺方向から見た断面図。
【図３】本発明の実施形態に係る実施形態の一例である携帯電話機の、コネクタとコネクタキャップとが取り付けられる断面を、コネクタにコネクタキャップを取り付けた状態で携帯電話機の長辺方向から見た断面図。
【図４】本発明の実施形態に係る実施形態の一例である携帯電話機の、バッテリカバーのスライド移動に応じて凸部と凹部とが嵌合する様子を、携帯電話機の短辺方向から見た断面図。
【図５】本発明の実施形態に係る実施形態の一例である携帯電話機を、バッテリカバーとコネクタキャップとを携帯電話機に取り付けた状態で、携帯電話機の側面から見た矢視図。
【図６】本発明の実施形態に係る実施形態の一例である携帯電話機を、バッテリカバーとコネクタキャップとを携帯電話機に取り付けた状態で、携帯電話機のバッテリカバーを取り付ける方向から見た矢視図。
【発明を実施するための形態】
【００１０】
以下、本発明の実施の形態について図面を参照して説明する。
【００１１】
図１は、本発明に係る電子機器の一例である携帯電話機１を、バッテリ２が取り付けられる面から見た斜視図である。図２は、後述するコネクタ４とコネクタキャップ５とが取り付けられる断面を、携帯電話機１の長辺方向から見た断面図である。図３は、図２と同じ断面を、コネクタ４にコネクタキャップ５を取り付けた状態で示した断面図である。図４は、バッテリカバー３のスライド移動によって凸部６のうちの１つと凹部７のうち１つが嵌合する様子を断面図である。図５は、後述するバッテリカバー３とコネクタキャップ５とを携帯電話機１に取り付けた状態を、携帯電話機１の側面から示した矢視図である。
【００１２】
図６は、バッテリカバー３とコネクタキャップ５とを携帯電話機１に取り付けた状態を、バッテリカバー３が取り付けられる面から見た矢視図である。
【００１３】
（バッテリおよびバッテリカバーの構成）
図１に示すように、携帯電話機１にはバッテリ装着部が設けられている。バッテリ装着部の金属端子はバッテリ２の金属端子と接触する位置に設けられ、バッテリ装着部へバッテリ２を取り付けることで、２つの金属端子が電気的に導通する。携帯電話機１はバッテリ２からの電力の供給を受けて、携帯電話機１の内部に備えられた電気基板や表示装置を駆動させる。バッテリ２の実現方法およびバッテリ２から携帯電話機１へ電力を供給する過程は公知の技術であるので、詳細な説明は行わない。
【００１４】
図５および図６に示すようにバッテリカバー３は携帯電話機１へ取り付けられるように構成される。バッテリカバー３を携帯電話機１に取り付けることで、バッテリ装着部へ取り付けたバッテリ２はバッテリカバー３に押え付けられるために、携帯電話機１の振動や落下などによってバッテリ２がバッテリ装着部から脱落する事態が防止される。なお、携帯電話機１の筐体およびバッテリカバー３は、例えばポリカーボネイト樹脂などのプラスチックによって構成される。
【００１５】
図１に示すように、バッテリカバー３には凸部６が複数設けられ、各々の凸部６に対応した位置に凹部７が設けられている。バッテリカバー３を携帯電話機１に取り付ける際には、まず図４（ｂ）に示すように、凸部６を対応する凹部７へ差し込むようにバッテリカバー３を位置させる。次に、バッテリカバー３を図４の左方向へ、距離７１だけスライドさせる。図４（ｃ）からわかるように、凸部６には図中の左方向へ飛び出した係止部が設けられている。バッテリカバー３のスライド移動によって凸部６の係止部は凹部７に設けられた係止部と嵌合し、バッテリカバー３が携帯電話機１に取り付けられる。なお、凸部６および凹部７の係止部は、バッテリカバー３を図４左方向へ距離７１だけスライド移動することで嵌合すると述べた。そのため、取り付けられたバッテリカバー３を図４右方向へ距離７１だけスライド移動させることで嵌合が外れ、再びバッテリカバー３を携帯電話機１から取り外すことができる。
【００１６】
（コネクタおよびコネクタキャップの構成）
図１に示すように、携帯電話機１の側面にあるコネクタ４の凹部には金属端子が設けられており、例えばケーブルをコネクタ４に差し込むことによって、ケーブルの金属端子とコネクタ４の金属端子が接触する。ケーブルとコネクタ４との電気的な接続により、携帯電話機１は外部電源や外部機器との接続を行う。また、コネクタ４の凹部に細かなごみや異物が混入する事態を避けるために、コネクタキャップ５が設けられる。
【００１７】
図２および図３に、コネクタ４にコネクタキャップ５が取り付けられる断面図を示す。コネクタキャップ５はコネクタ４の凹部と嵌合する凸形状に構成される。携帯電話機１を外部電源や外部機器と接続する際にはコネクタキャップ５をコネクタ４から外し、コネクタ４を外部に露出させてケーブルとの接続を行う。なお、コネクタキャップ５は取り付け及び取り外しが簡便に行えるように、例えばエラストマ材などの弾性素材を用いて構成される。コネクタキャップ５はコネクタに取り付けたとき、バッテリカバー３のスライド方向に対して垂直な方向へ飛び出すように形成される。
【００１８】
（バッテリカバーとコネクタキャップとの係合）
図１に示すように、バッテリカバー３には切り欠き８が設けられている。図５および図６に、バッテリカバー３とコネクタキャップ５を携帯電話機１に取り付けた状態を示す。図５および図６からわかるように、バッテリカバー３がスライド移動して携帯電話機１に取り付けられた状態でコネクタキャップ５を取り付けたときに、先述したコネクタキャップ５の飛び出し５１と切り欠き８とが略同じ大きさになるように切り欠き８が構成される。
【００１９】
バッテリカバー３を携帯電話機１に取り付けた後にコネクタキャップ５が取り付けられるように、切り欠き８はコネクタキャップ５より大きくなるようマージンを持った大きさに構成される。切り欠き８とコネクタキャップ５間のスライド移動方向のマージンは、距離７１より小さくなるように設けられる。
【００２０】
先に述べたように、バッテリカバー３の携帯電話機１への取り付けは、バッテリカバー３の凸部６を携帯電話機１の凹部７へ差し込み、バッテリカバー３を距離７１だけスライド移動させることによって行われる。そして、バッテリカバー３の取り外しの際には、バッテリカバー３を取り付け時と逆の方向に距離７１だけスライドさせることによって行われる。ここで、バッテリカバー３を携帯電話機１に取り付けた後にコネクタキャップ５をコネクタ４へ取り付け、その後バッテリカバー３を取り付け時と逆の方向へスライドさせる動作を考える。コネクタキャップ５が取り付けられた状態でバッテリカバー３をスライドさせると、距離７１よりも小さなマージンを持つように設けられた切り欠き８がコネクタキャップ５の飛び出し５１に引っかかり、スライド移動させることができない。従って、使用者がバッテリカバー３を取り外す際には、まずコネクタキャップ５を携帯電話機１から取り外した後にバッテリカバー３をスライド移動させる必要がある。これにより、携帯電話機１の不意な振動や落下によるバッテリカバー３のスライド移動が防止されるため、バッテリカバー３の意図せぬ脱落を防ぐことができる。つまり、コネクタキャップ５がコネクタ４のキャップとしての役割と、バッテリカバー３のスライド移動を防止する役割とを兼ね備えている。このため、バッテリカバー３のスライド移動を防止する別の部材を設ける必要がなく、携帯電話機１を構成する部品点数を削減することが可能である。
【００２１】
なお、バッテリカバー３は例えばポリカーボネイト樹脂などのプラスチックで、コネクタキャップ５はエラストマ材などの弾性素材で構成されると述べた。コネクタキャップ５は弾性を持つ柔らかい素材で構成されるため、携帯電話機１の振動や落下によってバッテリカバー３の切り欠き８がコネクタキャップ５の飛び出し５１と衝突した場合であっても、コネクタキャップ５が衝突の衝撃を吸収し、衝突によってバッテリカバー３あるいはコネクタキャップ５が破損する事態を防ぐことができる。
【００２２】
以上の実施例の動作によれば、コネクタキャップ５の飛び出し５１が、バッテリカバー３のスライド移動を防止する。これにより、携帯電話機１の振動や落下によってバッテリカバー３がスライド移動し、バッテリカバー３が不意に脱落してしまう事態を防ぐことができる。また、コネクタキャップ５はバッテリカバー３に比べ剛性の低い弾性素材で構成する。これにより、携帯電話機１の振動や落下によって発生するコネクタキャップ５と切り欠き８間の衝撃を、コネクタキャップ５が吸収し、部材が破損する事態を防ぐことができる。
【００２３】
なお、ここに述べた実施の形態において、携帯電話機を挙げて説明を行った。しかし、本発明の範囲はこれに限定されるものではなく、例えばＰＤＡ（Ｐｅｒｓｏｎａｌ  Ｄｉｇｉｔａｌ  Ａｓｓｉｓｔａｎｔ）や有線端末、あるいは通信機能を持たない小型情報処理機器などにも適用できる。また、上述した実施例では携帯電話機１、バッテリカバー３およびコネクタキャップ５を構成する材料の例としてポリカーボネイト樹脂およびエラストマ材を挙げた。しかし、本発明に用いられる電子機器の材料はこれに限られるものではなく、種々の材料を用いて構成することが可能である。
【００２４】
要するに本発明は、上記実施形態に限定されるものではなく、発明の要旨を逸脱しない範囲であれば、構成要素を変形して具体化しても良い。また、上記各実施形態に開示されている複数の構成要素の適宣な組み合わせにより、種々の発明を形成しても良い。例えば、各実施形態に示される全構成要素から幾つかの構成要素を削除してもよい。
【符号の説明】
【００２５】
１  携帯電話機
２  バッテリ
３  バッテリカバー
４  コネクタ
５  コネクタキャップ
６  凸部
７  凹部
８  切り欠き
５１  飛び出し
【図１】
2010187234.tif 000003
【図２】
2010187234.tif 000004
【図３】
2010187234.tif 000005
【図４】
2010187234.tif 000006
【図５】
2010187234.tif 000007
【図６】
2010187234.tif 000008